(57)【要約】【課題】外出時などにおいても整膚の効果を長時間維持させることができるような血行促進具などを提供することを目的とするものである。【解決手段】皮膚Ｆに吸着して取り付けられる吸着部材２と、この皮膚Ｆに吸着して取り付けられた吸着部材２の外側の皮膚Ｆに貼り付けられるテープ３０とを具備してなり、このテープを、吸着部材２が取り外された後においてもその皮膚Ｆの状態を引っ張り上げた状態に維持できるようなものに構成する。【選択図】  図１
2004290405.tif 000002
【特許請求の範囲】
【請求項１】
皮膚に吸着して取り付けられる吸着部材と、この皮膚に吸着して取り付けられた吸着部材の外側の皮膚に貼り付けられるテープとを具備してなることを特徴とする血行促進具。
【請求項２】
皮膚に吸着して取り付けられる吸着部材の外周部に対応した内周部を有し、皮膚に吸着して取り付けられた吸着部材の外周部にその内周部が位置するように皮膚に貼り付けられる粘着部を有することを特徴とするテープ。
【発明の詳細な説明】
【０００１】
【発明の属する技術分野】
本発明は、皮膚に吸着させて血行を促進する血行促進具などに関し、より具体的には、整膚の効果を長時間維持することができる血行促進具やテープに関するものである。
【０００２】
【従来の技術】
従来より、身体の血行を促進するための療法として、指圧療法や整膚療法などが存在する。このうち指圧療法は、皮膚を圧迫することによって、神経を刺激し、その部位の血行を促進できるようにしたものであり、一方、整膚療法は、皮膚を指などで引っ張り上げることによってその部分の内圧を低くし、筋肉の緩みや血行の促進を図れるようにしたものである。一般的に、この整膚療法は、指による皮膚の引っ張り上げによって行われるが、近年では、家庭でもこのような整膚療法を容易に行いうるように、吸い玉と称される吸着部材が用いられるようになっている。この吸着部材に関しては、例えば、特許文献１に示すようなものが存在する。
【０００３】
【特許文献１】
特開平５−３３７１５８号公報
【０００４】
この特許文献１に開示されているものは、ハンドルの先端に取り付けられたローラを身体に押し付けるように構成したものであり、そのローラに複数の吸盤を取り付け、ローラを押圧しながら回転させることによって、吸盤による皮膚の押圧と吸引とによってマッサージの効果を高めるようにしたものである。
また、このような特許文献１だけでなく、現在、市場においては半球状に構成された吸着部材も販売されている。この吸着部材は合成ゴムなどのようなエラストマーで形成されるものであり、身体の所望の部位にこの吸着部材を吸着させることによってその部分の皮膚を引っ張り上げ、血行の促進を図れるようにしたものである。
【０００５】
【発明が解決しようとする課題】
ところが、これらのような吸着部材には、次のような問題が存在する。すなわち、この特許文献１に記載されているような吸着部材では、携行性に適したものではないため、もっぱら家庭などにおいてのみしか利用することができない。
また、半球状に構成された吸着部材についても同様に、外出時などにおいては服を着る関係上、その吸着部材を取り外さなければならず、結局、これも家庭などにおいてのみしか利用することができない。
【０００６】
そこで、本発明は上記課題に着目してなされたもので、外出時などにおいても整膚の効果を長時間維持させることができるような血行促進具などを提供することを目的とするものである。
【０００７】
【課題を解決するための手段】
本発明は上記課題を解決するために、皮膚に吸着して取り付けられる吸着部材と、この皮膚に吸着して取り付けられた吸着部材の外側の皮膚に貼り付けられるテープとを具備してなり、このテープを、吸着部材が取り外された後においてもその皮膚の状態を引っ張り上げた状態に維持できるようなものに構成したものである。
【０００８】
このように構成すれば、吸着部材を取り外しても、テープ内径側の皮膚を引っ張り上げた状態にしてその部分の内圧を低くすることができ、吸着部材を取り外しても整膚の効果を長時間維持することができるようになる。また、テープのみによって整膚の効果を維持できるので、外出時などにおいてもその部分の盛り上がりなどをなくすことができるようになる。
【０００９】
【発明の実施の形態】
以下、本発明の一実施の形態について図面を参照しながら説明する。図１および図２は第一の実施の形態における血行促進具１を示したものであり、吸着部材２とシール体３とを具備して構成されるものである。
【００１０】
この吸着部材２は、周知のように手の甲や腰・肩などのような身体の所望の位置に吸着させられる半球状のエラストマーなどによって構成されるものであり、その内側空間部Ｓ（図２参照）に半球状の吸盤面２０を設け、また、その外周部２１ａ側の下端面に吸着部材２自身の肉厚などによって形成される皮膚接触面２１を設ける。そして、使用状態においては、まず、その吸着部材２の皮膚接触面２１を皮膚Ｆに押し付けた状態で頂点部２２を指で押圧し、内側空間部Ｓの空気を外部に押し出す。そして、その頂点部２２の押圧を解放することにより、エラストマー自身の復元力によって内側空間部Ｓの気圧を低下させ、皮膚Ｆを引っ張り上げた状態にする。
【００１１】
シール体３は、裏側に粘着面３０ａを有するシール３０と、その粘着面３０ａに取り付けられる保護フィルム３１とによって構成される。このシール３０は、吸着部材２の外周部２１ａとほぼ径が一致するような内周部３０ｂを有するリング状に形成したもので、皮膚Ｆに吸着して取り付けられた吸着部材２の外周部２１ａとその内周部３０ｂを一致させて皮膚Ｆに取り付けられる。そして、このシール３０は、その吸着部材２を取り外した状態であってもその内側部分の皮膚Ｆを引っ張り上げた状態に維持できるような比較的伸縮率の小さい部材、例えば、布やポリウレタンなどのシールなどによって構成される。
【００１２】
次に、この血行促進具１の使用方法について説明する。
【００１３】
まず、使用時においては、身体の血行を促進する部位に吸着部材２を押し当て、その吸着部材２の皮膚接地面２１を皮膚Ｆに押し付けた状態で頂点部２２を指で押圧して、内側空間部Ｓの空気を外部に押し出す。そして、その押圧している指を離すことにより、エラストマー自身の復元力によって内側空間部Ｓの気圧を低下させて皮膚Ｆを引っ張り上げる。
【００１４】
次に、このようにして皮膚Ｆに吸着して取り付けられた吸着部材２の外周部２１ａ外側にシール３０を貼り付けるべく、まず裏側の保護フィルム３１を剥がし、内周部３０ｂが吸着部材２の外周部２１ａに一致するように位置決めして、粘着面３０ａが吸着部材２に引っ付かないようにして皮膚Ｆに貼り付ける。
【００１５】
そして、このようにしてシール３０を皮膚Ｆに貼り付けた後、吸着部材２の側面などを押しつぶすなどして皮膚接触面２１から空気を流入させ、吸着部材２を取り除く。
【００１６】
このようにすれば、吸着部材２を取り外した状態であってもシール３０の内周部３０ｂ内側の皮膚Ｆを引っ張り上げた状態のようにすることができ、その部位の内圧を低くして筋肉の緩和や血行の促進を図ることができるようになる。
【００１７】
次に、本発明における第二の実施の形態について図３を用いて説明する。この第二の実施の形態における血行促進具１も同様に、吸着部材２Ａおよびシール体３を具備して構成されるものであり、第一の実施の形態における吸着部材２を改良したものである。なお、この実施の形態において、第一の実施の形態と同様の番号を付したものは第一の実施の形態と同じ構成を有する。
【００１８】
この実施の形態における吸着部材２Ａは、第一の実施の形態における吸着部材２と同様に、内側空間部に半球状の吸盤面を設け、また、その外周部２１ａ側に吸着部材２Ａ自身の肉厚によって形成される皮膚接触面を設け、さらに、この実施の形態においては、内側空間部に向けて貫通させた頂点部２２Ａにキャップ２３Ａを取り付けられるように構成している。このキャップ２３Ａは、吸着部材２Ａの内側空間部を密閉しうるように、貫通させた頂点部２２Ａに着脱可能に取り付けられるものであり、そのキャップ２３Ａを取り付けた状態で皮膚Ｆへ吸着させて取り付け、また、取り外しの際はそのキャップ２３Ａを取り除いて貫通させた頂点部２２Ａから内部空間に空気を流入させるようにする。
【００１９】
この第二の実施の形態によれば、吸着部材２Ａを取り外す際、過度に内側空間の気圧を極度に低下させることがなくなり、取り外し時における皮膚Ｆの鬱血などを防止することができるようになる。
【００２０】
次に、第三の実施の形態について図４を用いて説明する。この実施の形態における血行促進具１は、シールの構成を改良したものであり、第一の実施の形態における吸着部材２とともに使用されるものである。なお、この吸着部材は第二の実施の形態における吸着部材２を用いるようにしても良い。また、この実施の形態においても、第一の実施の形態と同じ番号を付したものは同じ構成を有するものとする。
【００２１】
この実施の形態におけるシール３０Ｂは、第一の実施の形態と同様に、裏側に粘着面３０ａを有しているもので、リング状に構成されたシール３０Ｂの一部に内側から外側にわたる切れ目３０Ｂｃを設けるようにしたものである。通常、半球状に構成された吸着部材２の外側にシールを貼り付ける場合、シールのしなりなどによって粘着面が吸着部材２に引っ付きやすい。このため、この実施の形態では、リング状に構成されたシール３０Ｂの一部に切れ目３０Ｂｃを設け、その切れ目３０Ｂｃから順次保護フィルム３１を剥がしながらシール３０Ｂを皮膚Ｆに貼り付けていくようにする。
【００２２】
なお、この切れ目３０Ｂｃは、リング状に構成されたシール３０Ｂの径方向に沿って設けるようにしても良いが、図５に示すように、その径方向と所定の角度をなすような切れ目３０Ｃｃを設けるようにしても良い。このように構成すれば、引っ張り上げられた皮膚Ｆが復元しようとした場合であっても、その切れ目３０Ｃｃが径方向と所定の角度をなして設けられているため、皮膚Ｆの復元力によってその切れ目３０Ｃｃが広がることがなくなり、引っ張り上げの効果を長時間維持することができるようになる。
【００２３】
これらのように上記実施の形態においては、皮膚Ｆに吸着して取り付けられる吸着部材２、２Ａと、この皮膚Ｆに吸着して取り付けられた吸着部材２、２Ａの外周部２１ａに沿って皮膚Ｆに貼り付けられるテープ３０、３０Ｂ、３０Ｃを設け、このテープ３０、３０Ｂ、３０Ｃを、吸着部材２、２Ａが取り外された後においてもその皮膚Ｆの状態を引っ張り上げた状態に維持できるような部材で構成したので、吸着部材２、２Ａを取り外しても、テープ内径側部分の皮膚Ｆを引っ張り上げた状態に維持することができる。これにより吸着部材２、２Ａを取り外しても整膚の効果を長時間持続させることができるようになり、さらに、服を着ても吸着部材２、２Ａを取り付けたようにその部分を盛り上がらせることがなくなる。
【００２４】
【発明の効果】
本発明は、皮膚に吸着して取り付けられる吸着部材と、この皮膚に吸着して取り付けられた吸着部材の外周に沿って皮膚に貼り付けられるテープとを具備してなり、このテープを、吸着部材が取り外された後においてもその皮膚の状態を引っ張り上げた状態に維持できるようなものに構成したので、吸着部材を取り外しても、テープ内側部分の皮膚を引っ張り上げた状態のように内圧を低くすることができ、吸着部材を取り外しても整膚の効果を長時間持続させることができるようになる。また、外出時などにおいてその部位の盛り上がりを目立たせることがなくなる。
【図面の簡単な説明】
【図１】本実施の形態における血行促進具の構成を示す図
【図２】同形態における使用状態の断面を示した図
【図３】第二の実施形態における血行促進具を構成する吸引部材を示す図
【図４】第三の実施の形態における血行促進具を構成するシールを示す図
【図５】第四の実施の形態における血行促進具を構成するシールを示す図
【符号の説明】
１・・・血行促進具
２、２Ａ・・・吸着部材
３０、３０Ｂ、３０Ｃ・・・テープ
Ｆ・・・皮膚
【図１】
2004290405.tif 000003
【図２】
2004290405.tif 000004
【図３】
2004290405.tif 000005
【図４】
2004290405.tif 000006
【図５】
2004290405.tif 000007